(57)【要約】【課題】  車椅子利用者は最小のエネルギーで登り降りすることができ、視覚障害者や高齢者などの交通弱者はブロックの段差が確認できるバリアフリー用ブロックを提案することである。【解決手段】  道路１と歩道２との境界部分などに設置する車椅子利用者、視覚障害者や高齢者などの交通弱者用のバリアフリー用ブロック４で、その形状を段高さ５ａを有する段差のある複数段からなる段状とし、各段の大きさはそれぞれの段高さ５ａを車椅子の小径である前輪の径の１／５〜１／３、かつ、各段の奥行き６を前輪５ａの径の１／８〜１／３とし、また、着色および面取りを施したバリアフリー用ブロック４である。【選択図】      図１
2006063793.tif 000002
【特許請求の範囲】
【請求項１】
車道と歩道との段差または施設や駅構内や陸橋などのスロープなどに代表されるような高低差を有する２点間を結ぶために生じる段差あるいは傾斜を解消するために設置する、車椅子利用者、視覚障害者および高齢者などの交通弱者用の、バリアフリー用ブロックであって、その形状を段高さのある複数段からなる階段状の段とし、該階段状の段の各段の大きさは、各段の段高さを車椅子の前輪の径の１／５０〜１／２０、各段の奥行きを車椅子の前輪の径の１／８〜１／３とし、かつ、該階段状の段からなるバリアフリー用ブロックの傾斜形状は車椅子の前輪と後輪の範囲内において１０／１００〜５０／１００の勾配を有することを特徴とする複数段からなる階段状の段を有するバリアフリー用ブロック。
【請求項２】
階段状の段は、階段の蹴込み板の傾斜角度が０°より大きく９０°以下の範囲にあることを特徴とする請求項１に記載の複数段からなる階段状の段を有するバリアフリー用ブロック。
【請求項３】
階段状の段は、その段数を２〜２０段とし、最上段の歩道に連続する天端部分に１０〜２００ｍｍの水平部分を有することを特徴とする請求項１又は２に記載の複数段からなる階段状の段を有するバリアフリー用ブロック。
【請求項４】
階段状の段は、上段から下段に延びる凹溝幅２〜３ｍｍで凹溝深さ５〜１０ｍｍの排水用の凹溝の複数本を凹溝間隔５０〜１５０ｍｍを空けて有することを特徴とする請求項１〜３のいずれか１項に記載の複数段からなる階段状の段を有するバリアフリー用ブロック。
【請求項５】
バリアフリー用ブロックは、コンクリートブロック、プラスチックブロック、ゴムブロック、木製ブロック、金属ブロックなどのブロック形状を維持しうる素材からなるものであることを特徴とする請求項１〜４のいずれか１項に記載の複数段からなる階段状の段を有するバリアフリー用ブロック。
【請求項６】
バリアフリー用ブロックは、着色材料あるいはＬＥＤ、蓄光材料、自発光材料、反射材料などの視認性を有する材料のいずれか１種が組み込まれていることを特徴とする請求項１〜５のいずれか１項に記載の複数段からなる階段状の段を有するバリアフリー用ブロック。
【請求項７】
バリアフリー用ブロックは、複数段の階段状の段の突状角部に柔軟材を組み込んだことを特徴とする請求項１〜６のいずれか１項に記載の複数段からなる階段状の段を有するバリアフリー用ブロック。
【請求項８】
バリアフリー用ブロックは、複数段の階段状の段の突状角部に面取りを形成したことを特徴とする請求項１〜７のいずれか１項に記載の複数段からなる階段状の段を有するバリアフリー用ブロック。
【発明の詳細な説明】
【技術分野】
【０００１】
この発明は、歩道と車道との段差、または施設や駅構内、若しくは陸橋のスロープなどに代表される様な、高低差を結ぶために生じる段差や傾斜を、車椅子利用者、あるいは視覚障害者や高齢者などの交通弱者にとって特段の力を必要とすることなく移動しやすい形状とするためのバリアフリー用ブロックに関する。
【背景技術】
【０００２】
わが国の１５〜６４歳の生産性人口は、１９９５年をピークに減少に転じ、２００７年からは総人口も減少に転じると予想されている。すなわち２０１４年には高齢者人口は３２００万人に達し、４人に１人が高齢者となり、２０４０年には３人に１人が高齢者になる。そのため、今後は超高齢者化社会を含んだ福祉文化を創設することが重要である、と言われている。
【０００３】
このようなことを背景に、近年、バリアフリー、ユニバーサルデザインの取り組みが国土交通省その他で推進されている。中でも、交通関係に関して道路関係では「道路の移動円滑化整備ガイドライン」が示され、歩道と車道の境界の縁石の段差について乳母車・車椅子利用者は０ｃｍを、視覚障害者は白杖での確認から最小２ｃｍを必要とし、高齢者には明確な段差が望まれている。この問題に関して国土交通省の段差構造委員会で検討されてきた（非特許文献１参照。）。その結果、妙案がないまま道路の縁石の段差は車椅子利用者と視覚障害者に対する折衷案として２ｃｍの確保が決められた。しかし、この数値は、現状の道路事情に照らしたとき車椅子利用者や視覚障害者あるいは高齢者などの交通弱者には、まだ厳しい数値である。
【０００４】
ところで、車道と歩道との境界である接続部の段差は高いと、この段差を車椅子で上れず、段差が低いと視覚障害者にとって段差を認識しずらくなる。そこで上記のようにその段差の値は２ｃｍとされているが、あくまでも妥協策となっているのが現状である。
【０００５】
【非特許文献１】土木学会誌、２００３年、６月号、ｐ．１０〜２７
【発明の開示】
【発明が解決しようとする課題】
【０００６】
そこで、本発明が解決しようとする課題は、車椅子利用者や高齢者などの交通弱者にとって最小エネルギーで使用でき、さらに視覚障害者には段の確認が容易であるバリアフリー用ブロックを提案することである。すなわち、車椅子利用者にとっては昇降しやすく、視覚障害者にとっても連続的な段があることで確実に段差が認識できるバリアフリー用ブロックを提案することである。さらに自転車利用者にとっても安定して自転車で通りうる余地を有するバリアフリー用ブロックを提案することである。また、さらに雨天などにおいて階段面の全面に雨水を溢流しにくくしたバリアフリー用ブロックを提案することである。
【課題を解決するための手段】
【０００７】
上記の課題を解決するための本発明の手段は、請求項１の発明では、車道１と歩道２との段差または施設や駅構内や陸橋などのスロープなどに代表されるような高低差を有する２点間を結ぶために生じる段差あるいは傾斜を解消するために設置する、車椅子利用者、視覚障害者および高齢者などの交通弱者用のバリアフリー用ブロック４である。その形状を段高さ５ａのある複数段からなる階段状の段５とするもので、これらの階段状の段５の各段の大きさは、各段の段高さ５ａを車椅子の前輪の径の１／５０〜１／２０、各段の奥行き６を車椅子の前輪の径の１／８〜１／３とする。さらに、この階段状の段５からなるバリアフリー用ブロック４の傾斜形状は車椅子の前輪と後輪の範囲内において１０／１００〜５０／１００の勾配を有するものである。すなわち、車椅子は通常前輪の径が小さく、後輪は手で駆動するために車椅子の座居している人の腕の横の高さの位置に後輪の上端高さが来るように大きい。従って、前輪がスムーズに階段を登り降り出来る必要がある。このために小径である前輪がその大きさで登り降り可能で、手に負担を掛けない範囲として、階段状の段５の段高さ５ａや各段の奥行き５ｂおよび勾配を上記の大きさとしている。
【０００８】
請求項２の発明では、階段状の段５は、階段の蹴込み板５ｂの傾斜角度が０°より大きく９０°以下の範囲にある請求項１の手段における複数段からなる階段状の段５を有するバリアフリー用ブロック４である。すなわち、各階段状の段５の段差つまり段高さ５ａを形成する立ち上がり部分である蹴込み板５ｂの傾斜角度５ｃは水平面である０°より大で有り、最大の角度は９０°からなるものであり、当然に上記の請求項１の手段の階段状の段５の段高さ５ａや各段の奥行き５ｂおよび勾配を満足するものとしている。
【０００９】
請求項３の発明では、階段状の段５は、その段数を２〜２０段とし、最上段の歩道２に連続する天端部分２ａに１０〜２００ｍｍの水平部分を有する請求項１又は２の手段における複数段からなる階段状の段５を有するバリアフリー用ブロックである。すなわち、バリアフリー用ブロック４において、段数を２〜２０段とするのは、本発明の目的が歩道と車道との段差など車椅子利用者が容易に登り降り出来るようにするものであるから、この目的に合う段差のものとして最大で２０段であり、この段差を健常者が容易に歩いて昇り降り出来るものとするとき仮に２０段以上の段があると、段が細かくなり過ぎ健常者の階段昇降の歩幅に合致しなくなることによる。さらにその最上段の歩道に続く天端部分２ａに１０〜２００ｍｍの水平部分からなる幅を持たせたので、自転車で安定して登り降りすることができるものとなっている。
【００１０】
請求項４の発明では、階段状の段５は、上段から下段に延びる凹溝幅１１ａが２〜３ｍｍで凹溝深さ１１ｃが５〜１０ｍｍの排水用の凹溝１１の複数本を凹溝間隔１１ｂが５０〜１５０ｍｍあけて有することを特徴とする請求項１〜３のいずれか１項の手段における複数段からなる階段状の段５を有するバリアフリー用ブロックである。すなわち、バリアフリー用ブロック４は、各階段の段面に雨水が溢れると階段が滑って危険であるので、各階段面に車椅子の車輪が嵌まり込むことのない幅の凹溝１１を複数本形成して階段面の排水を良好としている。
【００１１】
請求項５の発明では、バリアフリー用ブロック４は、コンクリートブロック、プラスチックブロック、ゴムブロック、木製ブロック、金属ブロックなどのブロック形状を維持しうる素材からなるものである複数段からなる階段状の段５を有するバリアフリー用ブロック４である。すなわち、バリアフリー用ブロック４は特に素材は特定するものでない。しかし、好ましくは、コンクリートブロック、プラスチックブロック、ゴムブロック、木製ブロック、金属ブロックのいずれか１種からなるものである。
【００１２】
請求項６の発明では、バリアフリー用ブロック４は、着色材料あるいはＬＥＤ、蓄光材料、自発光材料、反射材料などの視認性を有する材料のいずれか１種が組み込まれている請求項１〜５のいずれか１項の手段における複数段からなる階段状の段５を有するバリアフリー用ブロック４で、夜間でも安心して段差のあることが判かりうるものである。
【００１３】
請求項７の発明では、バリアフリー用ブロック４は、複数段の階段状の段５の突状角部５ｄに柔軟材を組み込んだ複数段からなる階段状の段５を有するバリアフリー用ブロック４である。突状角部５ｄにゴムあるいはプラスチックの柔軟な材料を接着剤などで係止したことで、誤って突状角部５ｄに身体の一部をぶつけても、怪我しにくく安全である。
【００１４】
請求項８の発明では、バリアフリー用ブロック４は、複数段の段５からなる階段の突状角部５ｄに面取りを形成した複数段からなる階段状の段５を有するバリアフリー用ブロック４である。面取りをすることで階段の丸くなった段５に身体の一部をぶつけても傷つきにくく安全である。
【発明の効果】
【００１５】
本発明のバリアフリー用ブロックは、視覚障害者が認識できる段差を十分に確保すると同時に、視覚障害者の持つ白杖で十分に認識できるシグナルを付与することができ、車椅子利用者には負担が最小限に押さえられ、車道と歩道を区画する縁石などにおいて、その縁石の段差０ｃｍのものと同様に車椅子が上るときに勾配により自然に後退しないものとすることができ、従来、必要であった長いスロープをなくすことができ、さらに、階段の蹴込み板の角度を０°より大で最大が９０°としたもので、適宜その段差の高さに応じてその角度を定めることで、車椅子の車輪が一層に昇り降りしやすくなり、さらに最上段の天端部分に１０〜２００ｍｍからなる幅の水平部分を設けたので、自転車を利用する人も容易に通り得ることができ、さらに階段に車椅子の車輪の幅より狭く落ち込むことのない上下方向の凹溝の複数本を設けて階段の排水を良好としたので、雨水で階段が滑るなどの危険が減少でき、また、階段の突状角部に柔軟な素材を設けたり、あるいは面取りをするなどして、身体に怪我しにくくしており、ブロックの素材も種々のものから選別でき、汎用性が高いなど、本発明は優れた効果を奏するものである。
【発明を実施するための最良の形態】
【００１６】
先ず、本発明を開発するに当たり、通常の傾斜面のみからなるバリアフリー用のタイプ（以下、「Ａタイプ」という。）と階段状の段を設けたバリアフリー用のタイプ（以下、「Ｂタイプ」という。）の２種類のバリアフリー用ブロック４を車道１と歩道２の境界に設置したもの対し、車椅子による上る実験を行った。車椅子は前輪の径が１０数センチと小さく後輪は６０センチ以上の大きい通常のものである。
【００１７】
Ａタイプのバリアフリー用ブロック４は、図３に示すように、５ｍｍの先端の段高さ５ａを有し、バリアフリー用ブロック４の奥行き８である１８０ｍｍ進んで後面高さ７の５０ｍｍに上るもので、擦り付け勾配２５％である斜面からなる段の無い滑らかなバリアフリー用ブロック４である。このＡタイプでは、車椅子の車輪１０に掛かる重力は、上り面に対して垂直で無いため、斜面に平行な分力が常に作用することとなるので、後輪を回転する力を少しでも緩めると車椅子は斜面に沿って下ることとなる。
【００１８】
このＡタイプのバリアフリー用ブロック４を車椅子で上るときの、車椅子の前輪と後輪の推力（Ｎ）と距離（ｍ）の関係を図４の（ａ）に示し、運動量（ｋＮ．ｓ）と距離（ｍ）の関係を図４の（ｂ）にそれぞれグラフで示す。なお、ふた山のグラフの左側は前輪によるもの、右側は後輪によるものを表し、試乗者の体重ｗは６０ｋｇｆである。この図４の（ａ）のグラフに見られる後輪の推力を示す右側の波形に示されるように、推力が１５０Ｎを超えるものとなっており、上記のように後輪を回転する力を少しでも緩めると車椅子は斜面に沿って下ることを示している。
【００１９】
図４の（ａ）から、車輪１０のうち前輪は先端の５ｍｍの段高さ５ａを上る際に車輪１０の径が小さいので１８０Ｎに近い大きな推力を要するが、先端の段高さ５ａを上り切ってしまうと後は斜面を上るのみであるのでほぼ１００Ｎの推力であることと、後輪は大径であるので先端の段高さ５ａの５ｍｍの段差は格別に大きな推力を必要としないことがわかる。しかし、Ａタイプは滑らかな傾斜面であるので、図４の（ｂ）に示されるように、前輪側および後輪側ともにグラフの勾配は直線的で、運動量と距離の関係は一次関数的に滑らかに増えている。
【００２０】
Ｂタイプのバリアフリー用ブロック４は、図５に示すように、１０ｍｍの先端の段高さ５ａを有し、１８０ｍｍ進んで後面高さ７の４０ｍｍに上るもので、最終的には歩道高さ３の５０ｍｍまで上る。この場合、各段の奥行き６の４５ｍｍ進んで１０ｍｍ高くなる段状の段高さ５ａの４段からなるものである。このＢタイプのバリアフリー用ブロック４では、車椅子のタイヤに掛かる重力は段高さ５ａを上ったとき、その段ごとに垂直な下向きの力が掛かるのみである。一方、車輪１０は段の水平面に載っているので、Ａタイプのバリアフリー用ブロック４のように、車椅子は斜めに後退することはない
【００２１】
このＢタイプのバリアフリー用ブロック４を上るときの車椅子の前輪と後輪の推力（Ｎ）と距離（ｍ）の関係を図６の（ａ）に示し、運動量（ｋＮ．ｓ）と距離（ｍ）の関係を図６の（ｂ）にそれぞれグラフで示す。なお、ふた山のグラフの左側は前輪によるもの、右側は後輪によるものを表し、試乗者の体重ｗは６０ｋｇｆである。
【００２２】
図６の（ａ）から、前輪はそれぞれの段高さ５ａの１０ｍｍの高さの段を上る際に車輪１０の径が小さいので２００Ｎを超える大きな推力を段ごとに必要とする。後輪は大径であるので、先端の段高さ５ａの１０ｍｍの段差も格別に大きな推力を必要とせず、しかも、各段はそれぞれ平面であるので、Ａタイプのように常に下り方向に力が掛かるようなことはなく、各段毎に掛かる推力も１５０Ｎ付近で安定し、小さい。Ｂタイプは、各段の段高さ５ａが大きいので、径の小さな前輪が段を上るためには、上記のように格別の推力を必要とする。図４の（ｂ）に見られるように、そのために前輪側のグラフの線がスムーズな直線ではなく、がたついている。後輪は大径であるので、運動量と距離の関係は一次関数的に滑らかに増えている。
【００２３】
以上のＡタイプおよびＢタイプの各バリアフリー用ブロック４の実験の結果を踏まえて本願の発明を得たもので、これを以下の実施例１で説明する。
【実施例１】
【００２４】
本願の発明の実施例を図１および図２で説明する。図１は段状からなるバリアフリー用ブロック４の一実施の形態を示す図である。図１の（ａ）は側面図を示し、各段の段高さ５ａは５．５ｍｍで、各段の奥行き６は２２．５ｍｍである。従って、全体で１８０ｍｍ進んで４４ｍｍ上り、最後は５０ｍｍの歩道２の高さに上る。（ｂ）はその斜視図を示し、（ｃ）は道路への設置図を示す。
【００２５】
この実施の形態の段状からなるバリアフリー用ブロック４を車道１と歩道２の境界に設置して、６０ｋｇｆの人が乗った車椅子で上る際の推力と距離の関係を図２の（ａ）に示す。この場合、段高さ５ａが５．５ｍｍと小さいので、前輪に掛かる推力も先端の段から小さく、かつ、突出することなく、１３０Ｎ前後であり、また、後輪に掛かる推力も１４０Ｎ前後で安定し、上記実験のＢタイプのバリアフリー用ブロック４の場合に劣ることなく優れている。さらに図２の（ｂ）に示すように、運動量と距離の関係においても、グラフの線は前輪側および後輪側ともに直線の一次グラフとして表されている。このバリアフリー用ブロック４を設置した横断歩道は、視覚障害者が歩行しても、障害者が認識できる縁石の段差の２〜１０ｃｍ内であるので、この実施例の段差を認識することが十分にでき横断歩道の車道１側から歩道２側に移行する状態を通常の間隔で認識できるものであった。
【００２６】
このバリアフリー用ブロック４の幅９は図２の（ｂ）の斜視図では９００ｍｍｍであるが、実際に設置する場合は、横断歩道などの幅に合わせて、この実施例の整数倍とすることができるし、また、適宜必要な幅９を定めることができる。
【００２７】
以上から、バリアフリー用ブロック４は階段状とし、それぞれの段高さ５ａを小径である前輪の径の１／５０〜１／２０の２．０〜１２．０ｍｍとし、かつ、各段の奥行き６を前輪の径の１／８〜１／３の１２．０〜７０．０ｍｍとし、車椅子の前輪と後輪の範囲内で１０／１００〜５０／１００の勾配を持つことが好ましいものである。このバリアフリー用ブロック４はコンクリートブロックとして工場生産することができ、現地で設置することができる。
【００２８】
さらに、請求項２の実施の形態では、階段状の段５は、各階段状の段５の段差つまり段高さ５ａを形成する立ち上がり部分である階段の蹴込み板５ｂの傾斜角度５ｃは、図７に示すように、水平面である０°より大で有り、最大の角度は９０°からなる複数段からなる階段状の段５を有するバリアフリー用ブロック４である。この階段の蹴込み板５ｂの傾斜角度５ｃが緩やかであると、車椅子で登るときの負担は少ないが、階段の奥行き８が長くなり、道路に必要な土地として広い領域を必要とすることとなる。
【００２９】
さらに、請求項３の実施の形態では、図８に示すように、バリアフリー用ブロック４では、階段状の段５が、その段数を２〜２０段とし、最上段の歩道２に続く天端部分２ａに１０〜２００ｍｍの水平部分からなる幅を持たせたので、自転車で安定して登り降りできるものである。なお、上記の請求項２の手段の蹴込み板５ｂに傾斜角度を持たせることと、請求項３の手段の段数２〜２０段とし、かつ、最上段の歩道２に続く天端部分２ａに１０〜２００ｍｍの水平部分からなる幅を持たせた点は、これらを自由に組み合わせて使用できる。
【００３０】
また、さらに、請求項４の実施の形態では、図９に示すように、階段状の段５は、上段から下段に延びる凹溝幅１１ａが２〜３ｍｍで、凹溝深さ１１ｃが５〜１０ｍｍの排水用の凹溝１１の複数本を、凹溝間隔１１ｂを５０〜１５０ｍｍ空けて有するものとした。したがって、雨が降った際には階段状の段５の全面に雨水が溢れることなく凹溝１１を通じて排水するので階段面が滑ることなく安全である。この凹溝幅１１ａは２〜３ｍｍであるので、車椅子に凹溝１１の存在を感じさせることなく、車椅子の車輪が嵌まり込むことが無く安全である。また凹溝深さ１１ｃは５〜１０ｍｍで有り、複数個の凹溝１１の凹溝間隔１１ｂを５０〜１５０ｍｍとしているので、階段面の雨水は近くの凹溝１１から効率良く排水することができる。
【００３１】
上記のバリアフリー用ブロック４の素材は、そのブロック形状を維持することができるものであれば、どのような素材からなるものでも良い。したがって、このコンクリートから製造する他に、木製、アクリル樹脂その他のプラスチックス製、ゴム製、製鉄やアルミニューム製やその他の金属製などとすることもできる。また、階段状の段５の突状角部５ｄには、図示しないが、幅１０ｍｍ前後の柔軟なゴム製あるいはプラスチックス製の角部材を接着したり、あるいはアール１０ｍｍ前後の角を丸くした面取りとして、身体に触れても怪我をしにくいものとしている。
【００３２】
さらに、上記のバリアフリー用ブロック４は、着色材料あるいはＬＥＤ、蓄光材料、自発光材料、反射材料などの視認性を有する発光材料のいずれか１種が、図示しないが、例えば階段状の段５の蹴込み板５ｂの部分に組み込まれているバリアフリー用ブロック４で、夜間でも階段状の段５からなる段差のあることが安心して確認出来るものである。これらを階段状の段５の蹴込み板５ｂの部分に組み込むことで、これらが長期間にわたり破損されにくく、かつ、段差が視認しやすくされている。
【図面の簡単な説明】
【００３３】
【図１】本発明の実施の形態のバリアフリー用ブロックの概略を示す図で、（ａ）は側面図、（ｂ）は斜視図、（ｃ）は設置状態を示す側面図である。
【図２】本発明の実施の形態のバリアフリー用ブロックにおける（ａ）は車椅子の推力と距離の関係を示すグラフで、（ｂ）は運動量と距離の関係を示すグラフである。
【図３】実験用のＡタイプの通常の斜面のみからなるバリアフリー用ブロックの概略を示す図で、（ａ）は側面図、（ｂ）は斜視図、（ｃ）は設置状態を示す側面図である。
【図４】図３のＡタイプのバリアフリー用ブロックにおける（ａ）は車椅子の推力と距離の関係を示すグラフで、（ｂ）は運動量と距離の関係を示すグラフである。
【図５】実験用のＢタイプの段差のあるバリアフリー用ブロックの概略を示す図で、（ａ）は側面図、（ｂ）は斜視図、（ｃ）は設置状態を示す側面図である。
【図６】図５のＢタイプのバリアフリー用ブロックにおける（ａ）は車椅子の推力と距離の関係を示すグラフで、（ｂ）は運動量と距離の関係を示すグラフである。
【図７】階段の立ち上がり部分である蹴込み板５ｂの部分に傾斜角を持たせたバリアフリー用ブロックの側面を示す概略図である。
【図８】階段状の最上段を水平部分を有するバリアフリー用ブロックの側面を示す概略図である。
【図９】階段状の各段に上下に延びる複数本の凹溝を設けたバリアフリー用ブロックを示す斜視図である。
【符号の説明】
【００３４】
１  車道
２  歩道
２ａ  天端部分
３  歩道高さ
４  バリアフリー用ブロック
５  階段状の段
５ａ  段高さ
５ｂ  蹴込み板
５ｃ  傾斜角度
５ｄ  突状角部
６  各段の奥行き
７  後面高さ
８  奥行き
９  幅
１０  車輪
１１  凹溝
１１ａ  凹溝幅
１１ｂ  凹溝間隔
１１ｃ  凹溝深さ
【図１】
2006063793.tif 000003
【図２】
2006063793.tif 000004
【図３】
2006063793.tif 000005
【図４】
2006063793.tif 000006
【図５】
2006063793.tif 000007
【図６】
2006063793.tif 000008
【図７】
2006063793.tif 000009
【図８】
2006063793.tif 000010
【図９】
2006063793.tif 000011